(57)【要約】【課題】画像形成部が画像を形成する位置を補正しない場合と比較して、連続記録媒体の表面における予め定められた画像の位置と、連続記録媒体おける実際に画像が形成される位置とずれの発生を抑制することができる画像形成装置を提供する。【解決手段】画像形成装置１０は、連続紙Ｐの位置情報を取得するセンサ７００と、連続紙Ｐの移動方向においてセンサ７００よりも下流側に配置されていて、連続紙Ｐに画像を形成する画像形成部１２０と、センサ７００を用いて取得された位置ずれ量を用いて、連続紙Ｐの表面における予め定められた画像が形成される位置と、連続紙Ｐの表面における実際に画像が形成された位置との位置ずれが小さくなるように、画像形成部１２０が画像を形成する位置を補正する制御回路８１０とを有する画像形成装置。【選択図】図５
2019061036.tif 000002
【特許請求の範囲】
【請求項１】
連続記録媒体の予め定められた位置と連続記録媒体の実際の位置との位置ずれ量を取得するための連続記録媒体の位置情報を取得する位置情報取得手段と、
連続記録媒体の移動方向において前記位置情報取得手段よりも下流側に配置されていて、連続記録媒体に画像を形成する画像形成部と、
前記位置情報取得手段を用いて取得された位置ずれ量を用いて、連続記録媒体の表面における予め定められた画像が形成される位置と、連続記録媒体の表面における実際に画像が形成された位置との位置ずれが小さくなるように、前記画像形成部が画像を形成する位置を補正する補正手段と、
を有する画像形成装置。
【請求項２】
前記補正手段は、予め定められた大きさに切断された切断記録媒体の大きさ毎に前記画像形成部が画像を形成する位置を補正する請求項１記載の画像形成装置。
【請求項３】
前記画像形成部は、潜像を形成する潜像形成装置と、前記潜像形成装置が形成した画像を現像する現像装置と、前記現像装置によって現像された画像を連続記録媒に転写する転写装置と、を有し、
前記位置情報取得手段が位置を取得する取得位置から前記転写装置が連続記録媒体に画像を転写する転写位置までの連続記録媒体の移動距離は、前記潜像形成装置によって潜像が形成され、前記潜像形成装置によって形成された潜像が前記現像装置によって現像され、前記現像装置によって現像された画像が前記転写装置によって連続記録媒体に転写されるまでに要する時間に連続記録媒体が移動する距離よりも長い請求項１または２記載の画像形成装置。
【請求項４】
前記補正手段は、互いに異なる複数の時定数を用いる請求項１から３いずれか記載の画像形成装置。
【請求項５】
前記補正手段は、画像形成を開始してから予め定められた所定時間を経過した後に、用いる時定数を、一つの時定数から前記一つの時定数よりも大きい他の時定数に切り替える請求項１乃至４いずれか記載の画像形成装置。
【発明の詳細な説明】
【技術分野】
【０００１】
本発明は、画像形成装置に関する。
【背景技術】
【０００２】
特許文献１には、連続紙を受け、上記連続紙に画像を形成する画像形成部と、上記連続紙の幅方向の位置を測定する用紙位置センサと、上記用紙位置センサにより測定された上記連続紙の幅方向の位置の位置測定データに応じて、作像の開始時間および書き込み位置の少なくとも一方を決定して、上記画像形成部の作像開始時間および書き込み位置の少なくとも一方を制御する制御部とを備えたことを特徴とする画像形成装置が記載されている。
【先行技術文献】
【特許文献】
【０００３】
【特許文献１】特開２０１６−１２６１１６号公報
【発明の概要】
【発明が解決しようとする課題】
【０００４】
連続記録媒体の予め定められた位置と連続記録媒体の実際の位置とにずれがあると、連続記録媒体の表面における予め定められた画像が形成される位置と、連続記録媒体の表面における実際に画像が形成された位置とにずれが生じる。
【０００５】
本発明は、画像形成部が画像を形成する位置を補正しない場合と比較して、連続記録媒体の表面における予め定められた画像の位置と、連続記録媒体おける実際に画像が形成される位置とずれの発生を抑制することができる画像形成装置を提供することを目的とする。
【課題を解決するための手段】
【０００６】
請求項１に係る本発明は、
連続記録媒体の予め定められた位置と連続記録媒体の実際の位置との位置ずれ量を取得するための連続記録媒体の位置情報を取得する位置情報取得手段と、
連続記録媒体の移動方向において前記位置情報取得手段よりも下流側に配置されていて、連続記録媒体に画像を形成する画像形成部と、
前記位置情報取得手段を用いて取得された位置ずれ量を用いて、連続記録媒体の表面における予め定められた画像が形成される位置と、連続記録媒体の表面における実際に画像が形成された位置との位置ずれが小さくなるように、前記画像形成部が画像を形成する位置を補正する補正手段と、
を有する画像形成装置である。
【０００７】
請求項２に係る本発明は、前記補正手段は、予め定められた大きさに切断された切断記録媒体の大きさ毎に前記画像形成部が画像を形成する位置を補正する請求項１記載の画像形成装置である。
【０００８】
請求項３に係る本発明は、
前記画像形成部は、潜像を形成する潜像形成装置と、前記潜像形成装置が形成した画像を現像する現像装置と、前記現像装置によって現像された画像を連続記録媒に転写する転写装置と、を有し、
前記位置情報取得手段が位置を取得する取得位置から前記転写装置が連続記録媒体に画像を転写する転写位置までの距離は、前記潜像形成装置によって潜像が形成され、前記潜像形成装置によって形成された潜像が前記現像装置によって現像され、前記現像装置によって現像された画像が前記転写装置によって連続記録媒体に転写されるまでに要する時間に連続記録媒体が移動する距離よりも長い請求項１または２記載の画像形成装置である。
【０００９】
請求項４に係る本発明は、前記補正手段は、互いに異なる複数の時定数を用いる請求項１から３いずれか記載の画像形成装置である。
【００１０】
請求項５に係る本発明は、前記補正手段は、画像形成を開始してから予め定められた所定時間を経過した後に、用いる時定数を、一つの時定数から前記一つの時定数よりも大きい他の時定数に切り替える請求項１乃至４いずれか記載の画像形成装置である。
【発明の効果】
【００１１】
請求項１に係る本発明によれば、画像形成部が画像を形成する位置を補正しない場合と比較して、連続記録媒体の表面における予め定められた画像の位置と、連続記録媒体おける実際に画像が形成される位置とのずれの発生を抑制することができる。
【００１２】
請求項２に係る本発明によれば、補正手段が、予め定められた大きさに切断された切断記録媒体の大きさよりも小さな領域毎に画像形成部が画像を形成する位置を補正する場合と比較して、補正手段の演算の負荷を低減することができる。
【００１３】
請求項３に係る本発明によれば、取得手段が位置ずれ量を取得する取得位置から転写装置が連続記録媒体に画像を転写する転写位置までの連続記録媒体の搬送距離が、潜像形成装置によって潜像が形成され、潜像が現像装置によって現像されて、現像された画像が転写装置によって転写装置によって連続記録媒体に転写されるまでに要する時間に、連続記録媒体が移動する距離よりも短い場合とは異なり、位置ずれを補正せずに連続記録媒体に形成される画像をなくすことができる。
【００１４】
請求項４に係る本発明によれば、補正手段が単一の時定数を有する場合と比較して、補正手段による補正の効率を向上させることができる。
【００１５】
請求項５に係る本発明によれば、画像形成を開始してから予め定められた所定時間を経過した後にであっても時定数を切り替えない場合と比較して、補正手段による補正の効率を向上させることができる。
【図面の簡単な説明】
【００１６】
【図１】実施形態で用いられる画像形成装置の概略構成を示す図である。
【図２】図１に示す画像形成装置が有する画像形成ユニットを示す図である。
【図３】図１に示す画像形成装置が有するセンサを示す図である。
【図４】図１に示す画像形成装置が有する制御部を示すブロック図である。
【図５】図１に示す画像形成装置の制御の一例を示すフローチャートである。
【発明を実施するための形態】
【００１７】
以下、本発明の実施形態について図面を参照して詳細に説明する。図１には、本発明の実施形態である画像形成装置１０が示されている。図１に示すように、画像形成装置１０は、供給ユニット４０と、回収ユニット５０と、弛み解消ユニット６０と、画像形成ユニット１００とを有する。
【００１８】
供給ユニット４０は、ロール状に巻かれた連続紙Ｐを画像形成ユニット１００に供給するユニットである。ここで、連続紙Ｐは、連続記録媒体の一例である。供給ユニット４０は、連続紙Ｐを回転可能に支持するとともに、連続紙Ｐを搬送方向前側に送り出す送出装置４２を有する。
【００１９】
供給ユニット４０から供給される連続紙Ｐは、連続紙Ｐの幅方向に蛇行するように移動することがある。そして、連続紙Ｐが幅方向に移動をすると、連続紙Ｐの表面における予め定められた画像が形成される位置と連続紙Ｐの表面における実際に画像が形成された位置とに、連続紙Ｐの幅方向においてずれが生じてしまう。
【００２０】
回収ユニット５０は、画像形成ユニット１００で画像が形成された連続紙Ｐを回収するユニットであって、連続紙Ｐを巻き取る巻取装置５２を有する。
【００２１】
弛み解消ユニット６０は、画像形成ユニット１００に連続紙Ｐを送り出すに先立ち、連続紙Ｐに生じている弛みを解消するユニットであって、連続紙Ｐに張力を加える張力付与ロール６２を有する。
【００２２】
画像形成ユニット１００の詳細は後述する。
【００２３】
画像形成装置１０は、センサ７００をさらに有する。センサ７００は、位置情報取得手段の一例であって、連続紙Ｐの予め定められた位置と連続紙Ｐの実際に位置との位置ずれ量を取得するための連続紙Ｐの位置情報を取得する。また、センサ７００は、後述する制御回路８１０とともにずれ量取得手段を構成し、センサ７００が取得した連続紙Ｐの位置情報を用いて、制御回路８１０が、予め定められた連続紙Ｐの位置と、連続紙Ｐの実際の位置とのずれ量を演算して取得する。
【００２４】
図２には、画像形成ユニット１００が示されている。図２に示すように、画像形成ユニット１００は、画像形成ユニット本体１１２を有し、画像形成ユニット本体１１２内に、画像形成部１２０が配置されている。画像形成部１２０は、連続紙Ｐの搬送方向においてセンサ７００よりも下流側に配置されている。
【００２５】
画像形成部１２０は、例えば、イエロー、ゼンタ、シアン、黒等の互いに異なる色のトナー像を形成する例えば４個のトナー像形成部１３０を有し、これらのトナー像形成部１３０は、感光体ドラム１３２と、感光体ドラム１３２に潜像を形成する潜像形成装置１３４と、感光体ドラム１３２に形成された潜像を現像してトナー像とする現像装置１３６とをそれぞれに有する。
【００２６】
ここで、潜像形成装置１３４としては、例えば、ＬＥＤアレイを用いることができる。そして、ＬＥＤアレイを潜像形成装置１３４として用いる場合、連続紙Ｐの幅方向に並べられている複数の発光部の中のどの発光部を発光させるかを制御することにより、感光体ドラム１３２の表面に形成される潜像の幅方向の位置を変更し、潜像が現像されることにより形成されるトナー像の幅方向における位置を変更することができる。
【００２７】
画像形成部１２０は、転写装置１４０をさらに有する。転写装置１４０は、中間転写体１４２を有し、４個のトナー像形成部１３０でそれぞれに形成されたトナー像を中間転写体１４２に転写し、中間転写体１４２に転写されたトナー像を連続紙Ｐにさらに転写する。
【００２８】
画像形成部１２０は、例えば、Ａ４サイズやＡ３サイズ等の予め定められた大きさに切断された切断記録媒体の一例であるカット紙に対しても画像形成が可能である。また、画像形成部１２０は、予め定められたカット紙の大きさ毎に画像形成をする。
【００２９】
画像形成ユニット本体１１２内には、定着装置２００がさらに配置されている。定着装置２００は、例えば熱を用いて、連続紙Ｐに転写されたトナー像を連続紙Ｐに定着させる。
【００３０】
以上のように構成された画像形成装置１０においては、センサ７００が、連続紙Ｐの位置を取得する取得位置Ｐ１（図１を参照）から、転写装置１４０が連続紙Ｐに画像を転写する転写位置Ｐ２までの連続紙Ｐの移動距離は、潜像形成装置１３４によって潜像が形成され、潜像形成装置１３４によって形成された潜像が現像装置１３６によって現像され、現像装置１３６によって現像されたトナー像が転写装置１４０によって連続紙Ｐに転写されるまでに要する時間に連続紙Ｐが移動する距離よりも長くなっている。
【００３１】
図３には、センサ７００が示されている。図７に示すように、センサ７００は、連続紙Ｐの一方の面側に配置された発光部７００Ａと、連続紙Ｐの連続紙Ｐに対して発光部７００Ａと逆側に配置された受光部７００Ｂとを有し、連続紙Ｐによって遮られずに受光部７００Ｂに照射される光の位置から連続紙Ｐの位置を取得する。
【００３２】
図４は、画像形成装置１０の制御部８００を示すブロック図である。図４に示すように、制御部８００は、制御回路８１０を有し、制御回路８１０には、通信インターフェイス８１２を介して画像データが入力され、センサ７００からの出力が入力される。また、制御回路８１０からの出力に基づいて、画像形成部１２０と、供給ユニット４０と、回収ユニット５０と、弛み解消ユニット６０とが制御される。
【００３３】
また、制御回路８１０は、先述のセンサ７００とともに、ずれ量取得手段を構成し、センサ７００が取得した連続紙Ｐの位置情報を用いて、予め定められた連続紙Ｐの位置と、連続紙Ｐの実際の位置とのずれ量を演算して取得する。
【００３４】
また、制御回路８１０は、補正手段の一例であって、センサ７００を用いて取得された位置ずれ量を用いて、連続紙Ｐの表面における予め定められた画像が形成される位置と、連続紙Ｐの表面における実際に画像が形成された位置との位置ずれが小さくなるように、画像形成部１２０が画像を形成する位置を補正する。
【００３５】
ここで、画像形成部１２０が画像を形成する位置の補正は、連続紙Ｐの幅方向における位置の補正であり、潜像形成装置１３４が有し、連続紙Ｐの幅方向に並べられている複数の発光部の中のどの発光部を発光させるかを制御することによりなされる。
【００３６】
図５は、制御回路８１０による画像形成部１２０が形成する画像の位置の補正を説明するフローチャートである。例えば、操作者の開始の指示によって一連の制御が開始されると、最初のステップであるステップＳ１０において、制御回路８１０は、供給ユニット４０を制御して、供給ユニット４０に連続紙Ｐの供給を開始させる。
【００３７】
次のステップＳ２０では、制御回路８１０は、センサ７００に連続紙Ｐの位置情報を取得させるとともに、センサ７００が取得した連続紙Ｐの位置情報を用いて、予め定められた連続紙Ｐの位置と、連続紙Ｐの実際の位置との位置ずれ量を演算して取得する。
【００３８】
次のステップＳ３０では、制御回路８１０は、ステップＳ２０で取得された位置ずれ量を用いて、連続紙Ｐの表面における予め定められた画像が形成される位置と、連続紙Ｐの表面における実際に画像が形成された位置との位置ずれが小さくなるように、画像データを補正し、画像形成部１２０が画像を形成する位置を補正する。
【００３９】
また、ステップＳ３０での画像データの補正は、例えばＡ３サイズ、Ａ４サイズ等の予め定められた大きさに切断された記録媒体の大きさ毎に画像形成部１２０が画像を形成する位置を補正する。
【００４０】
また、ステップＳ３０での画像データ補正では、互い異なる例えば２つ等の複数の時定数が用いられる。より具体的には、画像形成を開始してから予め定められた所定時間を経過した後に、一つの時定数から、この一つの時定数よりも大きい他の時定数に切り替えられる。ここで、上述の一つの時定数は、上述の他の時定数の例えば５％以上２０％以下の値となっている。
【００４１】
そして、ステップＳ４０で、制御回路８１０は、通信インターフェイス８１２を介して入力された全ての画像データの処理が完了したことを確認した後に、一連の制御を完了させる。
【符号の説明】
【００４２】
１０・・・画像形成装置
１２０・・・画像形成部
１３０・・・トナー像形成部
１３２・・・感光体ドラム
１３４・・・潜像形成装置
１３６・・・現像装置
１４０・・・転写装置
７００・・・センサ
８００・・・制御部
８１０・・・制御回路
Ｐ・・・連続紙
Ｐ１・・・取得位置
Ｐ２・・・転写位置
【図１】
2019061036.tif 000003
【図２】
2019061036.tif 000004
【図３】
2019061036.tif 000005
【図４】
2019061036.tif 000006
【図５】
2019061036.tif 000007